(57)【要約】      （修正有）【課題】眼鏡フレームの柔軟な鼻当てのための新規な剛性のインサートを提供すること。【解決手段】本考案によるインサート１は、鼻当て２に埋め込まれた付属物３を備えており、付属物３から、眼鏡フレームのフレームに連結する連結手段を有する柄部１２が突出している。インサート１は、柄部１２の方に向けられた付属物３の下面に、柔軟な鼻当て２に埋め込むことができる少なくとも１つの凸部５ａ、５ｂを有している。【選択図】図１
0003221995.tif 000002
【実用新案登録請求の範囲】
【請求項１】
眼鏡フレームの柔軟な鼻当て（２）のための剛性のインサート（１）であって、
前記鼻当て（２）に少なくとも部分的に埋め込まれるように構成された付属物（３）を備えており、前記付属物（３）から、前記眼鏡フレームの前記フレームに連結する連結手段を有する柄部（１２）が突出している、インサート（１）において、
前記柄部（１２）の方に向けられた前記付属物（３）の下面（４）に、柔軟な前記鼻当て（２）に埋め込むことができる少なくとも１つの凸部（５ａ、５ｂ）を有していることを特徴とする、インサート（１）。
【請求項２】
前記少なくとも１つの凸部（５ａ、５ｂ）が、屈曲に対する抵抗及び前記鼻当て（２）に対する把持力を増大させるように構成されていることを特徴とする、請求項１に記載のインサート（１）。
【請求項３】
前記少なくとも１つの凸部（５ａ、５ｂ）が、前記付属物（３）の前記下面（４）に対して横方向に突出していることを特徴とする、請求項１に記載のインサート（１）。
【請求項４】
前記付属物（３）が略平坦であり、平面視において略楕円形の形状を有していることを特徴とする、請求項１に記載のインサート（１）。
【請求項５】
前記付属物（３）が略平坦であり、平面視において、前記鼻当て（２）の形状に実質上類似しているが寸法がより小さい形状を有していることを特徴とする、請求項１に記載のインサート（１）。
【請求項６】
前記付属物（３）が、前記付属物（３）の主軸線の両端に配置されている第１の領域（６ａ）及び第２の領域（６ｂ）で突出している第１の凸部（５ａ）及び第２の凸部（５ｂ）を備えており、第１の凸部（５ａ）及び第２の凸部（５ｂ）が、前記付属物（３）の横方向中心平面に対して実質上鏡像対称であることを特徴とする、請求項１〜５のいずれか一項に記載のインサート（１）。
【請求項７】
第１の凸部（５ａ）及び第２の凸部（５ｂ）が、平面視において、実質上曲線状又は扇形の形状を有し、互いに対向する平坦面（７ａ、７ｂ）と、実質上前記付属物（３）の側面（９）の配置平面に位置する湾曲面（８ａ、８ｂ）とをそれぞれ画定していることを特徴とする、請求項１〜６のいずれか一項に記載のインサート（１）。
【請求項８】
第１の凸部（５ａ）及び第２の凸部（５ｂ）が、前記付属物（３）の厚さに実質上等しい部分にて突出していることを特徴とする、請求項１〜７のいずれか一項に記載のインサート（１）。
【請求項９】
第１の凸部（５ａ）及び第２の凸部（５ｂ）が、前記付属物（３）の厚さより大きい部分にて突出していることを特徴とする、請求項１〜８のいずれか一項に記載のインサート（１）。
【請求項１０】
第１の凸部（５ａ）及び第２の凸部（５ｂ）が、前記付属物（３）の厚さより小さい部分にて突出していることを特徴とする、請求項１〜９のいずれか一項に記載のインサート（１）。
【請求項１１】
第１の凸部（５ａ）及び第２の凸部（５ｂ）から実質上等距離になるように、前記付属物（３）の前記下面（４）から直角に、前記付属物（３）の中心に配置され突出しているシュー（１０）を備えることを特徴とする、請求項１〜１０のいずれか一項に記載のインサート（１）。
【請求項１２】
シュー（１０）が、略Ｔ字状であり、前記付属物（３）の前記下面（４）に安定的に連結された頭部（１１）と、前記柄部（１２）とによって構成されていることを特徴とする、請求項１〜１１のいずれか一項に記載のインサート（１）。
【請求項１３】
前記鼻当て（２）内に部分的に埋め込まれるように構成され、したがって前記付属物（３）、前記凸部（５ａ、５ｂ）、及びシュー（１０）の頭部（１１）の一部が、実質上前記鼻当て（２）に収容されており、前記頭部（１１）の一部及び前記シュー（１０）の柄部（１２）が、外部へ突出していることを特徴とする、請求項１〜１２のいずれか一項に記載のインサート（１）。
【請求項１４】
前記少なくとも１つの凸部（５ａ、５ｂ）が、前記付属物（３）の前記下面（４）に対して長手方向の軸線に対して異なる軸線に沿って突出していることを特徴とする、請求項１に記載のインサート（１）。
【考案の詳細な説明】
【技術分野】
【０００１】
本考案は、眼鏡フレームの鼻当てのためのインサート（挿入物）に関する。
【背景技術】
【０００２】
眼鏡は通常、２本の溝線によって構成され、レンズを適正な位置に保持するように機能するフレームと、これら２本の溝線をつなぐブリッジと、ブリッジから突出する剛性のインサートによってブリッジに付随する２つの柔軟な鼻当てと、溝線にヒンジ連結された２つのつるとから構成される。
【０００３】
現在、鼻当ては、鼻の付け根に快適に静止することが可能になるように、実質上柔軟なプラスチック材料から形成され、丸い頂点が下向きになっている略涙形の形状が与えられることが知られている。
【０００４】
鼻当てのインサートは、鼻当てを眼鏡フレームのブリッジに連結することが可能になるように、金属性材料又は硬質プラスチック材料から形成されることが知られており、インサートは、金属性材料又は硬質プラスチックから形成された略平坦な付属物から構成され、付属物は鼻当てに埋め込まれる。
【０００５】
これらの従来の鼻当てには、これらの鼻当てが形成される材料の本質によって課される欠点及び制限があり、実際には、鼻当ての柔軟性は、時間とともにその変形を伴い、最終的にインサートが出てくることがあり、したがってそれらの鼻当てを頻繁に交換する必要がある。
【考案の概要】
【考案が解決しようとする課題】
【０００６】
本考案の目標は、眼鏡フレームのブリッジに鼻当てを好適に付随させることが可能な眼鏡フレームの鼻当てのためのインサートを提供することによって、前述の欠点をなくすことである。
【０００７】
この目標の範囲内で、本考案の目的は、時間とともに鼻当ての変形が生じた後でも、鼻当てとの連結を維持するインサートを得ることである。
【０００８】
別の目的は、構造上簡単かつ低コストであり、通常の従来システムによって作製することができる考案を提供することである。
【課題を解決するための手段】
【０００９】
以下で更に明らかになるこの目標及び上記その他の目的は、眼鏡フレームの柔軟な鼻当てのための剛性のインサートであって、前記鼻当てに埋め込まれた付属物を備えており、この付属物から、前記眼鏡フレームのフレームに連結する手段を有する柄部が突出している、インサートにおいて、前記柄部の方に向けられた前記付属物の下面に、前記柔軟な鼻当てに埋め込むことができる少なくとも１つの凸部を有していることを特徴とするインサートによって実現される。
【００１０】
本考案の更なる特徴及び利点は、添付の図面に非限定的な例として示される排他的ではないが特定の実施形態の詳細な説明から更に明らかになるであろう。
【図面の簡単な説明】
【００１１】
【図１】鼻当てに連結されたインサートの上からの斜視図である。
【図２】鼻当てに連結されたインサートの側面図である。
【図３】鼻当てに連結されたインサートの下からの斜視図である。
【図４】インサートの上からの斜視図である。
【図５】底からのインサートの斜視図である。
【図６】インサートの側面図である。
【図７】インサートの正面図である。
【図８】インサートの上からの図である。
【考案を実施するための形態】
【００１２】
以下に示す実施形態では、特有の例に関連して示す個々の特徴は、実際には、他の実施形態に存在する他の異なる特徴と交換することができる。
【００１３】
これらの図を参照すると、参照番号１は、全体として、実質上金属性材料又は硬質プラスチックから形成された剛性のインサートを指し、インサートは、略涙形の柔軟な鼻当て２に連結することができる。
【００１４】
インサート１は、略平坦な付属物３を備え、付属物３は、平面視において、略楕円形の形状、又は鼻当て２の形状に類似しているが、寸法がより小さい形状を有していることが好ましい。
【００１５】
少なくとも１つの凸部５ａ、５ｂが、付属物３の下面４から横方向に突出している。
【００１６】
図示の特有の実施形態では、付属物３は、付属物３の主軸線の両端に配置されている第１の領域６ａ及び第２の領域６ｂで突出していることが好ましい第１の凸部５ａ及び第２の凸部５ｂを備える。
【００１７】
第１の凸部５ａ及び第２の凸部５ｂは、付属物３の厚さにほぼ等しい部分、又は付属物３の厚さより大きい部分、又は付属物３の厚さより小さい部分にて突出しており、平面視において、実質上曲線状又は扇形の形状を有することが好ましく、互いに対向する平坦面７ａ、７ｂと、実質上付属物３の側面９の配置平面に位置する湾曲面８ａ、８ｂとをそれぞれ画定している。
【００１８】
第１の凸部５ａ及び第２の凸部５ｂは、付属物３の横方向中心平面に対して実質上鏡像対称である。
【００１９】
インサート１は、第１の凸部５ａ及び第２の凸部５ｂから実質上等距離になるように、付属物３の下面４から直角に、位置決めされて突出しているシュー１０を備え、これは付属物３の中心にあることが好ましい。
【００２０】
シュー１０は、Ｔ字形であることが好ましく、付属物３の下面４に安定的に連結された頭部１１と、眼鏡フレームのフレームに連結するための連結手段を有する柄部１２とによって構成されている。
【００２１】
連結手段は、孔１３によって構成されることが好ましく、孔１３は、頭部１１とは反対側の端部で、シュー１０の柄部１２に対して横方向に設けられる。
【００２２】
インサート１は、鼻当て２に部分的に埋め込まれるように構成され、したがって付属物３、凸部５ａ、５ｂ、及びシュー１０の第１の頭部１１の一部が、実質上鼻当て２に収容されており、第１の頭部１１の一部及びシュー１０の柄部１２は、外部へ突出している。
【００２３】
凸部５ａ、５ｂは、屈曲に対する抵抗及び鼻当て２に対する把持力を増大させるように構成されている。
【００２４】
したがって、本考案は、意図した目標及び目的を完全に実現し、鼻当て２を眼鏡フレームのブリッジに好適に付随させることを可能にし、時間とともに鼻当ての変形が生じた後でも、第１の凸部５ａ及び第２の凸部５ｂの存在によって、鼻当てとの連結を維持する、眼鏡フレームの鼻当て２のためのインサート１が得られることが分かった。
【００２５】
本考案は、多数の修正及び変更の余地があり、それらの修正及び変更はすべて、添付の実用新案登録請求の範囲の範囲内である。
【００２６】
したがって、たとえば凸部の数、形状、及び配置、付属物の形状、並びにシューの形状及び配置は、特有の要件に応じて変更することができる。
【００２７】
当然ながら、本考案の個々の構成要素の使用される材料並びに寸法は、特有の要件に応じてより関連性を有することがある。
【００２８】
有利かどうかで、或いは都合がよいかどうかで、上述した特徴はまた、削除されても、同等の特徴によって置き換えられてもよい。
【図１】
0003221995.tif 000003
【図２】
0003221995.tif 000004
【図３】
0003221995.tif 000005
【図４】
0003221995.tif 000006
【図５】
0003221995.tif 000007
【図６】
0003221995.tif 000008
【図７】
0003221995.tif 000009
【図８】
0003221995.tif 000010